(57)【特許請求の範囲】
【請求項１】
１本の歯に対して、複数のインプラント体が用いられる歯科インプラントシステムにおいて、
各インプラント体の軸部に、顎骨に穿設された掛穴に引掛けられる掛部が設けられ、
この掛部は、前記軸部に対して屈折されており、
各インプラント体が、顎骨に引掛けられる際に、この掛部の屈折方向が、複数のインプラント体で異なる構成であって、
２つのインプラント体が対を成し、各インプラント体の掛部の屈折方向が、相対向するように配置され、
少なくとも２対のインプラント体から成り、
一方の対を成す２つのインプラント体について、各インプラント体の掛部の屈折方向が、互いに内側に向かって相対向するように配置され、
他方の対を成す２つのインプラント体について、各インプラント体の掛部の屈折方向が、互いに外側に向かって相対向するように配置される構成であることを特徴とする歯科インプラントシステム。
【請求項２】
インプラント体の軸部と掛部との間に、軸部に対する掛部の屈折角度を調整するための角度調整部が設けられることを特徴とする請求項１に記載の歯科インプラントシステム。
【請求項３】
インプラント体の軸部の基端部に、少なくとも掛部の屈折方向とは反対方向に突出した軸固定部が設けられることを特徴とする請求項１又は２に記載の歯科インプラントシステム。
【発明の詳細な説明】
【技術分野】
【０００１】
本発明は、歯科インプラントに関し、詳しくは、１本の歯に対して、複数のインプラント体が用いられる歯科インプラントシステムに関する。
【背景技術】
【０００２】
従来から、天然歯を喪失した場合に、その喪失した箇所の顎骨に人工的な歯根（インプラント体）を埋め込んで、この人工歯根を土台として、この上に義歯を取り付ける歯科インプラント治療が知られている。
【０００３】
現在実施されている歯科インプラント治療は、外科的に顎骨（歯槽骨）上の歯肉を切除した後、予め検査して得られたサイズのインプラント体を顎骨に埋入し、その後３ヶ月〜６ヶ月の期間を待って、インプラント体と顎骨が結合（オッセオインテグレーション）するのを待つ必要がある。そして、顎骨と結合したインプラント体に、アバットメント体と呼ばれる台座と取り付け、このアバットメント体に、予め所定のサイズに成形された義歯を取り付けるといった手順で施術されている。
歯科インプラント治療は、これらの手順に従って施術されるため、治療期間として６ヶ月〜１年間を要するのが一般的である。
【０００４】
また、患者によっては、特に上顎骨への施術について、インプラント体を埋入するために必要な骨量（特に骨の厚さ）が不足している場合がある。かかる場合には、先ず、顎骨に対して、骨再生誘導法（ＧＢＲ法）、リッジエクスパンジョン、ソケットリフト、サイナスリフト等の補助手術を施し、必要な骨量を形成した上で、上記歯科インプラント治療を行うことになり、更に数ヶ月の治療期間を要する。
【０００５】
上記のような補助手術を要しない歯科インプラント治療について、特許文献１に記載の技術が提案されている。
特許文献１に記載の技術は、「歯根として上顎臼歯部の歯槽骨に埋入されて固定され、かつ脚構造を成す３本の脚部インプラント体と、該脚部インプラント体が移動自在に挿入されるために、前記脚部インプラント体の外径より大きい内径の維持孔が設けられ、該維持孔に挿入された前記各脚部インプラント体をまとめる機能を有する歯根台座部と、該歯根台座部と連結され、歯冠を装填するための支台であるアバットメントとを含む複合構造を有する歯科コンポーネントインプラント」である。
【０００６】
これを要約すると、歯根として歯槽骨に埋入されるインプラント体が３本であり、この３本のインプラント体を歯根台座部でまとめ、これらにアバットメントを加えた複合構造を有する歯科コンポーネントインプラントである。
【０００７】
この技術によれば、「上顎骨や下顎骨の形状、また下顎骨の下部に走っている下歯槽神経の位置に関係なく埋入可能であり、かつ複数の脚部インプラント体により歯根台座部を支持することにより噛み合う際の荷重が各脚部インプラント体に分散して偏った応力の集中を避ける共に当該荷重がアバットメントの長軸方向に加わることでインプラント全体の寿命が長くなる。これにより、骨増量などの骨再生誘導法による付加的手術も不要となり、骨不足、埋入不適症例へのインプラント埋入術の応用が可能となる。」といった効果が得られる。
【０００８】
しかし、特許文献１に記載の技術では、骨不足や埋入不適症例への骨再生誘導法等による補助手術は不要になるが、インプラント体と顎骨との結合に要する期間は必要であり、
やはり治療期間として６ヶ月〜１年間を要するといった問題があった。
【０００９】
一方で、インプラント体と顎骨との結合に要する期間を要しない歯科インプラント治療について、特許文献２に記載の技術が提案されている。
特許文献２に記載の技術は、「歯槽骨のうち口腔側に臨む上部歯槽骨に打ち込まれる抜け止め軸と、該抜け止め軸を下端に一体に突設しており、かつ上部には義歯が装着されるアバットメントとを備えた義歯固定装置」であり、「抜け止め軸が複数本からなり、これらの先端および外周の長手方向の複数箇所に抜け止め用の返り突起を有するもの」も提案されている。
【００１０】
これらの技術によれば、「従来のようにインプラント材と歯槽骨がくっつく数ヶ月の期間を待つことなく、直ぐにアバットメントを上部歯槽骨に取り付けることができる。」と共に、「抜け止め軸を、これの先端および外周の長手方向の複数箇所に抜け止め用の返り突起を有するものとしたので、上記抜け止め軸の歯槽骨への打ち込みを容易化でき、さらに抜け止め軸によるアバットメントの歯槽骨における結着力を十分に高めることができる」といった効果が得られる。
【００１１】
しかし、特許文献２に記載の技術では、アバットメントに設けられた抜け止め軸を、歯槽骨に余程深く打ち込まなければ固定されず、この抜け止め軸に返り突起を設けたとしても、抜け難さは多少増すものの、ハンマーなどを用いて歯槽骨に強く打ち込まなければならず、固定が不十分な上に骨への負担が大きいといった問題があった。
【先行技術文献】
【特許文献】
【００１２】
【特許文献１】特許第４２２６６０９号公報
【特許文献２】特開平８−１９６５４７公報
【発明の概要】
【発明が解決しようとする課題】
【００１３】
そこで、本発明の課題は、インプラント体と顎骨との結合期間を必要とせず、顎骨の骨量や厚さが少ない患者にも施術でき、多くの患者の治療期間及び治療回数を短縮することができると共に、顎骨への影響を最小限に止めることで、患者の精神的及び身体的負担を軽減することができる歯科インプラントシステムを提供することにある。
【課題を解決するための手段】
【００１４】
上記本発明の課題は、下記の手段により達成される。
１．１本の歯に対して、複数のインプラント体が用いられる歯科インプラントシステムに
おいて、
各インプラント体の軸部に、顎骨に穿設された掛穴に引掛けられる掛部が設けられ、
この掛部は、前記軸部に対して屈折されており、
各インプラント体が、顎骨に引掛けられる際に、この掛部の屈折方向が、複数のインプラント体で異なる構成であって、
２つのインプラント体が対を成し、各インプラント体の掛部の屈折方向が、相対向するように配置され、
少なくとも２対のインプラント体から成り、
一方の対を成す２つのインプラント体について、各インプラント体の掛部の屈折方向が、互いに内側に向かって相対向するように配置され、
他方の対を成す２つのインプラント体について、各インプラント体の掛部の屈折方向が、互いに外側に向かって相対向するように配置される構成であることを特徴とする歯科インプラントシステム。
【００２０】
２．インプラント体の軸部と掛部との間に、軸部に対する掛部の屈折角度を調整するための角度調整部が設けられることを特徴とする前記１に記載の歯科インプラントシステム。
【００２１】
３．インプラント体の軸部の基端部に、少なくとも掛部の屈折方向とは反対方向に突出した軸固定部が設けられることを特徴とする前記１又は２に記載の歯科インプラントシステム。
【００３０】
上記１〜３の参考発明として、次の構成を挙げることができる。
（１）１本の歯に対して、複数のインプラント体が用いられる歯科インプラントシステムにおいて、
各インプラント体の軸部に、顎骨に穿設された掛穴に引掛けられる掛部が設けられ、
この掛部は、前記軸部に対して屈折されており、
各インプラント体が、顎骨に引掛けられる際に、この掛部の屈折方向が、複数のインプラント体で異なることを特徴とする歯科インプラントシステム。
（２）２つのインプラント体が対を成し、
各インプラント体の掛部の屈折方向が、相対向するように配置される構成であることを特徴とする前記（１）に記載の歯科インプラントシステム。
（３）少なくとも２対のインプラント体から成り、
一方の対を成す２つのインプラント体について、各インプラント体の掛部の屈折方向が、互いに内側に向かって相対向するように配置され、
他方の対を成す２つのインプラント体について、各インプラント体の掛部の屈折方向が、互いに外側に向かって相対向するように配置される構成であることを特徴とする前記（２）に記載の歯科インプラントシステム。
（４）対を成す２つのインプラント体が、各軸部が交差するように配置され、該軸部が交差する位置で枢支される構成であることを特徴とする前記（２）又は（３）に記載の歯科インプラントシステム。
（５）３つ以上のインプラント体が対を成し、
そのうちの少なくとも２つのインプラント体について、各インプラント体の掛部の屈折方向が、相対向するように配置されることを特徴とする前記（１）に記載の歯科インプラントシステム。
（６）３つ以上のインプラント体が対を成し、
そのうちの少なくとも２つのインプラント体が、各軸部が交差するように配置され、該軸部が交差する位置で枢支される構成であることを特徴とする前記（５）に記載の歯科インプラントシステム。
（７）インプラント体の軸部と掛部との間に、軸部に対する掛部の屈折角度を調整するための角度調整部が設けられることを特徴とする前記（１）〜（６）のいずれかに記載の歯科インプラントシステム。
（８）インプラント体の軸部の基端部に、少なくとも掛部の屈折方向とは反対方向に突出した軸固定部が設けられることを特徴とする前記（１）〜（７）のいずれかに記載の歯科インプラントシステム。
（９）インプラント体の軸部に、鍔状の凸部が設けられることを特徴とする前記（１）〜（８）のいずれかに記載の歯科インプラントシステム。
（１０）複数のインプラント体の軸部を結合させると共に、義歯が装着される台座となるアバットメント体を有することを特徴とする前記（１）〜（９）のいずれかに記載の歯科インプラントシステム。
（１１）アバットメント体の側面に、透孔が設けられることを特徴とする前記（１０）に記載の歯科インプラントシステム。
（１２）アバットメント体に、顎骨に埋入して固定されるための爪部が設けられることを特徴とする前記（１０）又は（１１）に記載の歯科インプラントシステム。
（１３）アバットメント体に２つの爪部が設けられ、
アバットメント体によって２つのインプラント体の軸部が結合された状態において、
前記２つの爪部が、前記２つのインプラント体の掛部の基端部と、略等辺の四角形を形成する位置に形成されることを特徴とする前記（１０）〜（１２）のいずれかに記載の歯
科インプラントシステム。
（１４）アバットメント体が、複数のインプラント体の軸部を束ねることで結合させる構成であることを特徴とする前記（１０）〜（１３）のいずれに記載の歯科インプラントシステム。
（１５）インプラント体の軸部及び角度調整部は、板状に形成され、
掛部は、柱状又は針状に形成されることを特徴とする前記（１）〜（１４）のいずれかに記載の歯科インプラントシステム。
（１６）掛部が、直径０．５ｍｍ以上５ｍｍ以下の柱状体又は針状体であることを特徴とする前記（１）〜（１５）のいずれかに記載の歯科インプラントシステム。
（１７）インプラント体を顎骨に埋入した後、インプラント体と顎骨との結合を要しないことを特徴とする前記（１）〜（１６）のいずれかに記載の歯科インプラントシステム。
【発明の効果】
【００３１】
前記１に示す発明によれば、インプラント体に設けられた掛部を、顎骨に穿設された掛穴に引掛けることによって、インプラント体を顎骨に取り付けることができる。この取り付け手段によって、１本の歯に対して複数のインプラント体を顎骨に取り付け、これらのインプラント体を歯科用セメント等によって一体に結合すれば、複数のインプラント体が顎骨に固定される。
【００３２】
インプラント体に設けられた掛部は、例えば、軸部の端部を屈折させたように、軸部に対して屈折して設けられ、この掛部を、同じく軸部の方向に対して屈折した方向に穿設された掛穴に引掛けるので、軸部方向には抜けることがない。更に、各インプラント体は、掛部の屈折方向が異なるように取り付けられ、これらのインプラント体が一体に結合されるので、掛部の屈折方向にも抜けることがない。
【００３３】
従来のインプラント治療とは異なり、インプラント体を顎骨にねじ込む等して深く埋入させるのではなく、顎骨に浅く穿設された掛穴に、掛部を引掛ける構成であるため、顎骨の骨量や厚さが少ない場合であっても、補助手術等をすることなく施術することができる。また、インプラント体を深く埋入させることによる顎骨への損傷等の影響を最小限に止めることができる。
【００３４】
かかる構成の歯科インプラントシステムであれば、インプラント体を顎骨に引掛け、各インプラント体を一体に結合するだけで、一体に結合されたインプラント体が顎骨に固定されるので、従来のインプラント治療のように、インプラント体と顎骨とが結合する期間が不要であり、治療期間及び治療回数を短縮することができる。また、顎骨の骨量や厚さが少ない患者にも施術でき、補助手術による治療期間の延長を避けることもできる。
即ち、顎骨の骨量等を問わず、多くの患者の治療期間及び治療回数を短縮することができると共に、顎骨への影響を最小限に止めることで、患者の精神的及び身体的負担を軽減することができる歯科インプラントシステムを提供することができる。
【００３５】
更に、前記１に示す発明によれば、２つのインプラント体の掛部の屈折方向が、相対抗するように配置することによって、各掛部が引掛けられる方向が反対になり、これらの２つのインプラント体が一体に結合されれば、一体に結合されたインプラント体が顎骨から外れることがなく固定される。
【００３６】
更にまた、前記１に示す発明によれば、２対のインプラント体について、それぞれ内側に向かって相対向するものと、外側に向かって相対向するものを組み合わせることによって、掛部があらゆる方向に対して抜け難くなり、インプラント体の顎骨への固定がより強化される。
前記２に示す発明によれば、インプラント体に設けられた角度調整部によって、掛部の軸部に対する屈折角度を調整することができ、掛部の屈折角度と、顎骨に穿設された掛穴の角度が一致していなくても、歯科医師が臨床現場において、これらの角度を調整し合致させることができる。
前記３に示す発明によれば、軸部の基端部に、少なくとも掛部の屈折方向とは反対方向に突出した軸固定部によって、この軸固定部が、顎骨の表面に当接し、顎骨に埋入された掛部と相俟って、顎骨に取り付けられた軸部が傾くことを防止・抑制することができる。
【００３７】
前記（１）に示す参考発明によれば、インプラント体に設けられた掛部を、顎骨に穿設された掛穴に引掛けることによって、インプラント体を顎骨に取り付けることができる。この取り付け手段によって、１本の歯に対して複数のインプラント体を顎骨に取り付け、
これらのインプラント体を歯科用セメント等によって一体に結合すれば、複数のインプラント体が顎骨に固定される。
インプラント体に設けられた掛部は、例えば、軸部の端部を屈折させたように、軸部に対して屈折して設けられ、この掛部を、同じく軸部の方向に対して屈折した方向に穿設された掛穴に引掛けるので、軸部方向には抜けることがない。更に、各インプラント体は、掛部の屈折方向が異なるように取り付けられ、これらのインプラント体が一体に結合されるので、掛部の屈折方向にも抜けることがない。
従来のインプラント治療とは異なり、インプラント体を顎骨にねじ込む等して深く埋入させるのではなく、顎骨に浅く穿設された掛穴に、掛部を引掛ける構成であるため、顎骨の骨量や厚さが少ない場合であっても、補助手術等をすることなく施術することができる。また、インプラント体を深く埋入させることによる顎骨への損傷等の影響を最小限に止めることができる。
かかる構成の歯科インプラントシステムであれば、インプラント体を顎骨に引掛け、各インプラント体を一体に結合するだけで、一体に結合されたインプラント体が顎骨に固定されるので、従来のインプラント治療のように、インプラント体と顎骨とが結合する期間が不要であり、治療期間及び治療回数を短縮することができる。また、顎骨の骨量や厚さが少ない患者にも施術でき、補助手術による治療期間の延長を避けることもできる。
即ち、顎骨の骨量等を問わず、多くの患者の治療期間及び治療回数を短縮することができると共に、顎骨への影響を最小限に止めることで、患者の精神的及び身体的負担を軽減することができる歯科インプラントシステムを提供することができる。
前記（２）に示す参考発明によれば、２つのインプラント体の掛部の屈折方向が、相対抗するように配置することによって、各掛部が引掛けられる方向が反対になり、これらの２つのインプラント体が一体に結合されれば、一体に結合されたインプラント体が顎骨から外れることがなく固定される。
前記（３）に示す参考発明によれば、２対のインプラント体について、それぞれ内側に向かって相対向するものと、外側に向かって相対向するものを組み合わせることによって、掛部があらゆる方向に対して抜け難くなり、インプラント体の顎骨への固定がより強化される。
前記（４）に示す参考発明によれば、２つのインプラント体の各軸部が交差するように配置され、該軸部が交差する位置で枢支されるので、石吊り具の要領で、軸部に対して顎骨から引き抜かれる方向に力が加わると、掛部が顎骨を掴むように、内側に向かって力を加えるように働くので、軸部を引き抜こうとすればするほど、顎骨からインプラント体が抜け難くなる。
【００３８】
前記（５）に示す参考発明によれば、インプラント体が３つ以上使用される場合であっても、そのうちの少なくとも２つのインプラント体の掛部の屈折方向が、相対抗するように配置することによって、各掛部が引掛けられる方向が反対になり、これらの２つのインプラント体が一体に結合されれば、一体に結合されたインプラント体が顎骨から外れることがなく固定される。
【００３９】
前記（６）に示す参考発明によれば、インプラント体が３つ以上使用される場合であっても、そのうちの少なくとも２つのインプラント体の各軸部が交差するように配置され、該軸部が交差する位置で枢支されるので、石吊り具の要領で、軸部に対して顎骨から引き抜かれる方向に力が加わると、掛部が顎骨を掴むように、内側に向かって力を加えるように働くので、軸部を引き抜こうとすればするほど、顎骨が抜け難くなる。
【００４０】
前記（７）に示す参考発明によれば、インプラント体に設けられた角度調整部によって、掛部の軸部に対する屈折角度を調整することができ、掛部の屈折角度と、顎骨に穿設された掛穴の角度が一致していなくても、歯科医師が臨床現場において、これらの角度を調整し合致させることができる。
【００４１】
前記（８）に示す参考発明によれば、軸部の基端部に、少なくとも掛部の屈折方向とは反対方向に突出した軸固定部によって、この軸固定部が、顎骨の表面に当接し、顎骨に埋入された掛部と相俟って、顎骨に取り付けられた軸部が傾くことを防止・抑制することができる。
【００４２】
前記（９）に示す参考発明によれば、鍔状の凸部が設けられることで、歯科用セメント等を用いて、複数のインプラント体を結合・固定する場合に、用いられる歯科用セメントの移動を規制するので、結合・固定を強化することができる。
【００４３】
前記（１０）に示す参考発明によれば、義歯が装着される台座となるアバットメント体が、複数のインプラント体の軸部を結合させるので、複数のインプラント体とアバットメント体とで、義歯と装着させるための基礎を形成することができる。
【００４４】
前記（１１）に示す参考発明によれば、アバットメント体の側面に、透孔が設けられることで、歯科用セメント等を用いてインプラント体とアバットメント体を結合・固定する場合に、インプラント体とアバットメント体の間に塗布されたセメントが、この透孔にも流入することで、インプラント体、アバットメント体及び歯科用セメントがより強固に結合・固定され、更に、この透孔からはみ出した歯科用セメントを簡単に除去することもできる。
【００４５】
前記（１２）に示す参考発明によれば、アバットメント体に設けたれた爪部が、顎骨に埋入されるので、インプラント体と顎骨との固定に、アバットメント体と顎骨との固定も加わり、より強く固定させることができる。
【００４６】
前記（１３）に示す参考発明によれば、アバットメント体に設けられた２つの爪部が、２つのインプラント体の掛部と、略等辺の四角形を形成する位置に形成されるので、２つのインプラント体とアバットメント体との結合体が、掛部の屈折方向のみならず、これと直交する方向に対しても強く固定される。
【００４７】
前記（１４）に示す参考発明によれば、アバットメント体が、複数のインプラント体の軸部を束ねることで結合させるので、アバットメント体とインプラント体の取り付けが容易であり、かつ複数のインプラント体を確実に結合することもできる。
【００４８】
前記（１５）に示す参考発明によれば、インプラント体の軸部及び角度調整部が板状に形成されるので、２つの板状の軸部を重ねることで、２つのインプラント体を相対向して配置することができる。また、掛部が柱状又は針状に形成されるので、顎骨に穿設する掛穴は、ドリル等によって容易に穿設できる丸穴でよい。このような態様にインプラント体を形成することによって、施術を容易にすることができる。
【００４９】
前記（１６）に示す参考発明によれば、掛部を、直径０．５ｍｍ以上５ｍｍ以下の柱状体又は針状体に形成することで、顎部に設けられる掛穴もこれに対応するサイズを穿設すればよく、掛穴の穿設が容易であると共に、顎骨への損傷等の影響を最小限に止めることができる。
【００５０】
前記（１７）に示す参考発明によれば、インプラント体を顎骨に埋入した後、インプラント体と顎骨との結合を要しない構成なので、治療期間及び治療回数を短縮することができる。
【図面の簡単な説明】
【００５１】
【図１】参考発明に係る歯科インプラントシステムの一実施例を表す分解説明図
【図２】インプラント体の一実施例を表す斜視図
【図３】インプラント体の他の実施例を表す斜視図
【図４】２対のインプラント体を使用した実施例において、インプラント体を掛部側から観察した態様を表す概略図
【図５】軸固定部が設けられたインプラント体の一実施例を表す斜視図
【図６】凸部が設けられたインプラント体の一実施例を表す斜視図
【図７】凸部が設けられたインプラント体の他の実施例を表す斜視図
【図８】枢支部が設けられたインプラント体の一実施例を表す斜視図
【図９】アバットメント体の一実施例を表す斜視図
【図１０】２つのインプラント体を結合させるアバットメント体の実施例を表す斜視図
【図１１】３つのインプラント体を結合させるアバットメント体の実施例を表す斜視図
【図１２】４つのインプラント体を結合させるアバットメント体の実施例を表す斜視図
【図１３】掛部と爪部の位置関係を表す概略図
【図１４】透孔が設けられたアバットメント体の一実施例を表す斜視図
【図１５】歯科インプラントシステムの取り付け手順の一例を説明する概略図
【図１６】歯科インプラントシステムが顎骨に取り付けられた状態の一例を表す概略図
【図１７】歯科インプラントシステムが顎骨に取り付けられた状態の他の例を表す概略図
【発明を実施するための形態】
【００５２】
本発明に係る歯科インプラントシステム１は、現在実施されている歯科インプラント治療とは異なり、インプラント体を顎骨に埋入した後のインプラント体と顎骨との結合（オッセオインテグレーション）が不要であり、治療期間及び治療回数を短縮することができる歯科インプラントシステムである。
【００５３】
以下、添付の図面に従って本発明を詳細に説明する。
本発明に係る歯科インプラントシステム１の一実施例として、図１に分解説明図を示す。
【００５４】
図１に示されるように、歯科インプラントシステム１は、少なくとも２つのインプラント体２から構成され、これに直接又はアバットメント体３を介して義歯４が取り付けられ
る。
【００５５】
本発明におけるインプラント体２は、顎骨５の特に歯槽骨に設けられた掛穴５１に、引掛けて固定するためのものである。
インプラント体２は、図２又は図３に表わされるように、少なくとも軸部２１及び掛部２２から構成され、角度調整部２又は位置決め部２４を設けることができる。
【００５６】
図２は、軸部２１及び角度調整部２３を板状に形成した例であり、図３は、軸部２１及び角度調整部２３を角柱状に形成した例である。尚、軸部２１及び角度調整部２３の形状は、図２又は図３に表わされる形態に限定されるものではない。
【００５７】
軸部２１は、顎骨５から自然歯が生える方向と同方向に立設され、顎骨５と義歯４とを直接又は後述するアバットメント体３を介して接続し、固定する箇所である。
軸部２１の形状に限定はないが、例えば、図２に示されるように、板状に形成することもできるし、図３に示されるように、角柱状に形成することもできる。尚、軸部２１の形状として、円柱状等の非角型を採用することもできるが、後述するように、本発明に係る歯科インプラントシステム１は、２つ以上のインプラント体２を組み合わせて使用するため、この２つ以上のインプラント体２を所定の箇所に配置する際に、板状や角柱状のように側面に平面を有する形状の方が、平面同士を接して固定し易いという利点がある。
【００５８】
また、軸部２１のサイズに限定はないが、例えば、図２に示されるように板状に形成される場合には、長さが５ｍｍ〜１５ｍｍ、板の幅が２ｍｍ〜７ｍｍ、板の厚さが１ｍｍ〜２ｍｍに形成することができ、図３に示されるように角柱状に形成される場合には、同じく長さが５ｍｍ〜１５ｍｍ、対角線長が２ｍｍ〜３ｍｍ（奥歯用は４ｍｍ〜７ｍｍ）に形成することができる。
尚、軸部２１の長さや径又は厚さについては、歯科医師が治療の現場において、患者に合わせて加工することができる。特に、歯科用ドリル等で削ることでサイズや形状を加工することができるので、インプラント体２は、必要なサイズよりもやや大きめであることが好ましい。
【００５９】
掛部２２は、軸部２１の顎骨５側に設けられ、顎骨５に穿設された掛穴５１に引掛けられる箇所である。
掛部２２は、図２又は図３に示されるように、軸部２１の顎骨５側の端部に又は後述する角度調整部２３を介して設けられ、軸部２１の軸方向に対して屈折した方向に設けられ、柱状又は針状に形成される。
【００６０】
掛部２２は、例えば、軸部２１の端部を屈折させるようにして、軸部２１に対して屈折して設けられ、この掛部２２を、同じく軸部２１の方向に対して屈折した方向に穿設された掛穴５１に引掛けるので、軸部２１の軸方向には抜けることがない。更に、各インプラント体２は、掛部２２の屈折方向が異なるように取り付けられ、これらのインプラント体２が一体に結合されるので、掛部２２の屈折方向にも抜けることがない。
【００６１】
特に、掛部２２は、２つのインプラント体２が対を成す場合において、各インプラント体２の掛部２２の屈折方向が、相対向するように配置される。具体的には、掛部２２の屈折方向が、互いに内側に向かって向き合う格好で相対向するように配置され（図１に示されるインプラント体２の配置方向を参照。）、又は、掛部２２の屈折方向が、互いに外側に向かって相対向するように配置される。
３つ以上のインプラント体２が対を成す場合においても、そのうちの少なくとも２つのインプラント体２について、各インプラント体２の掛部２２の屈折方向が、相対向するように配置される。
【００６２】
また、２つのインプラント体２が対を成す場合であって、少なくとも２対のインプラント体２から構成される場合は、一方の対を成す２つのインプラント体２について、各インプラント体２の掛部２２の屈折方向が、互いに内側に向かって相対向するように配置され、他方の対を成す２つのインプラント体２について、各インプラント体２の掛部２２の屈折方向が、互いに外側に向かって相対向するように配置される。
【００６３】
２つのインプラント体２が対を成す構成について、詳述する。
図４は、２対のインプラント体２から構成される場合において、掛部２２側から軸部２１側を臨む方向に観察した場合における概略図である。この図４において、角度調整部２３が表れる２つで対を成すインプラント体２は、図２に示される態様であり、軸部２１が表れる２つで対を成すインプラント体２は、図３に示される態様である。
【００６４】
図４に示されるように、２対のインプラント体２から構成される場合は、一方の対を成すインプラント体２（図２に示される態様）は、その掛部２２の先端部２２ａが、互いに内側を向いて相対向するように配置され、他方の対を成すインプラント体２（図３に示される態様）は、その掛部２２の先端部２２ａが、互いに外側を向いて相対向するように配置される。かかる構成を採用することによって、２対のインプラント体２について、それぞれ内側に向かって相対向するものと、外側に向かって相対向するものとが組み合わされるので、掛部２２があらゆる方向に対して抜け難くなり、インプラント体２の顎骨５への固定がより強化される。
【００６５】
掛部２２のサイズに限定はないが、必要な強度と顎骨への影響を比較考量すると、長さが３ｍｍ〜１０ｍｍ、径が０．５ｍｍ〜５ｍｍの範囲に形成することが好ましく、径について０．７ｍｍ〜２ｍｍの範囲に形成することがより好ましい。径が細いものは、前歯ないし上顎への施術に適し、径が太いものは奥歯ないし下顎への施術に適する。尚、掛部２２の長さや径については、歯科医師が治療の現場において、患者に合わせて加工することができる。
また、掛部２２の軸部２１に対する屈折角度に限定はないが、１０度〜６０度の範囲であることが好ましく、３０度〜５０度の範囲であることがより好ましい。この屈折角度が小さいと、インプラント対２が軸方向へ離脱するおそれがあり、屈折角度が大きいと、掛部２２（又は掛穴５１）の上を覆う顎骨５の厚みが薄くなり、強い力が加わると当該部分が割れるおそれがあり、また掛部２１の取り付けも掛穴５１の穿設も困難になる。
【００６６】
角度調整部２３は、軸部２１と掛部２２との間に設けられ、軸部２１に対する掛部２２の屈折角度を調整するための箇所である。
角度調整部２３は、  図２に示されるように、軸部２１と掛部２２との接続箇所に、軸部２１の軸方向に略直交する方向に延設することができる。この延設された角度調整部２３は、軸部２１よりも細くないし薄く形成することで屈曲し易くなり、この角度調整部２３を任意に屈曲させることで、軸部２１に対する掛部２２の屈折角度を調整することができる。
【００６７】
また、図３に示されるように、軸部２１の掛部２２近傍の一部を溝状ないし凹状に形成し、当該部分を軸部２１の径又は厚さよりも細く又は薄く形成することによって設けることができる。この溝状ないし凹状に設けられる角度調整部２３は、軸部２１の外周に沿って連続的に設けられてもよいし、断続的に複数個が設けられてもよい。この溝状ないし凹状に設けられた箇所は、軸部２１よりも細くないし薄く形成することで屈曲し易くなり、この角度調整部２３を任意に屈曲させることで、軸部２１に対する掛部２２の屈折角度を調整することができる。
【００６８】
位置決め部２４は、軸部２１の外周に突出して設けられ、後述するアバットメント体３が用いられる場合に、インプラント体２との取り付け位置を確認ないし予め決定するために設けられる。
位置決め部２４は、図３に示されるように、軸部２１の外周に沿って鍔状に設けることができる。アバットメント体２に軸部２１が挿入される際に、位置決め部２４の位置まで挿入されると、この位置決め部２４にアバットメント体３が当接し、これ以上は挿入されなくなり、この位置でインプラント体２とアバットメント体３とを取り付けることができる。尚、図２に示されるインプラント体２の場合には、軸部２１から延設された角度調整部２３が位置決め部２４の役割を果たすことができる。
【００６９】
図２に示されるインプラント体２のような形態の場合は、軸部２１の下端に、突起部（図示しない）を設けることができる。この突起部は、顎骨５に浅く埋入して固定されるための凸部ないし小突起である。突起部は、顎骨５に軽く打ち込むことによって、又は予め穿設された穴に埋入することによって顎骨５に固定される。この突起部を設けることにより、特に、横方向（軸部２１の軸方向とは直交する方向）への強度を高めることができる。
突起部は、軸部２１の下端に１つ設けてもよいし、この下端の幅方向両端部に１つずつ計２つ設けてもよいし、３つ以上を設けてもよい。
【００７０】
インプラント体２には、以下に説明するように、軸固定部２５、凸部２６、枢支部２７を設けることもできる。
【００７１】
図５に示されるように、インプラント体２の軸部２１の基端部に、少なくとも掛部２２の屈折方向とは反対方向に突出した軸固定部２５を設けることができる。この軸固定部２５が、顎骨５の表面に当接し、顎骨５に埋入された掛部２２と相俟って、顎骨５に取り付けられた軸部２１が傾くこと、特に掛部２２の屈折方向とは反対方向に傾くことを防止・抑制することができる。
軸固定部２５は、インプラント体２の軸部２１の基端部に設けられ、少なくとも掛部２２の屈折方向とは反対方向に突出させることで設けることができ、該基端部の全周にわたって突出させてもよいし、掛部２２の屈折方向とは反対方向に加えて他の方向に突出させてもよい。
【００７２】
図６又は７に示されるように、インプラント体２の軸部２１に、鍔状の凸部２６を設けることができる。歯科用セメント等を用いて、複数のインプラント体２やアバットメント体３を結合・固定する場合に、この凸部２６が、歯科用セメントの移動を規制するので、結合・固定を強化することができる。
図６は、図２に示されるインプラント体２に凸部２６が設けられた実施例であり、図７は、図３に示されるインプラント体２に凸部２６が設けられた実施例である。
【００７３】
凸部２６は、軸部２１の側面に鍔状に設けることができるが、全周にわたって連続的に形成される必要はなく、全周にわたって断続的に凸部２６が形成されてもよいし、例えば半周や１／４周のように一部の周回に形成されてもよい。また、凸部２６は、軸部２１に上下に複数段設けることができる。図６は、凸部２６が上下２段に設けられた例であり、図７は、凸部２６が上下３段に設けられた例である。
図７に示される軸部２１について、軸部２１の基端部に設けられた凸部２６（図面上で最下段に表わされる凸部２６）は、上述した軸固定部２５を兼ねることができる。この場合、凸部２６は、少なくとも掛部２２の屈折方向とは反対方向に突出する態様となる。
【００７４】
インプラント体２について、他の実施例を挙げる。
２つのインプラント体２が対を成して使用される場合において、図８に示されるように、２つの軸部２１が交差するように配置され、該軸部２１が交差する位置に枢支部２７が設けられ、該枢支部で２つの軸部２１が回動可能に枢支される構成を採用することができる。この場合、各インプラント体２の掛部２２は、相互に内側に向かって屈折され、相対向するように配置される。
【００７５】
かかる構成を採用することによって、２つのインプラント体２の各軸部２１が回動可能に枢支されるので、石吊り具や氷はさみの要領で、軸部２１に対して顎骨５から引き抜かれる方向（１）に力が加わると、掛部２２が、内側に向かって顎骨５を掴む方向（２）に力を加えるので、軸部２１を引き抜こうとすればするほど、インプラント体２が顎骨５から抜け難くなる。
【００７６】
また、３つ以上のインプラント体２が対を成して使用される場合においても、そのうちの少なくとも２つのインプラント体２について、２つの軸部２１が交差するように配置され、該軸部２１が交差する位置に枢支部２７が設けられ、該枢支部で２つの軸部２１が回動可能に枢支される構成を採用することができる。この場合も、各インプラント体２の掛部２２は、相互に内側に向かって屈折され、相対向するように配置される。
【００７７】
本発明では、少なくとも２つのインプラント体２を使用する。図１等に表わされる実施例では、２つのインプラント体２を使用しているが、１本の歯当たり３つ以上のインプラント体２を使用することができ、特に奥歯など、顎骨５に十分な骨量があり、強度が必要な箇所には、４〜６つのインプラント体２を使用することができる。
【００７８】
インプラント体２を構成する各部は、十分な強度と硬度を有する材料で、一体に成形されることが好ましい。用いられる材料に限定はなく、インプラント体の材料として公知・公用の材料を特別の制限なく採用することができるが、例えば、チタン又はこの合金等の金属の他、セラミックスやジルコニア等を挙げることができる。
【００７９】
次に、アバットメント体３について説明する。
アバットメント体３は、複数のインプラント体２の軸部２１を結合させると共に、義歯４が装着される台座となるものである。
図９等に示されるように、アバットメント体３は、台座部３１と爪部３２とを有する。
【００８０】
台座部３１は、複数のインプラント体２の軸部２１を結合させると共に、義歯４を装着する土台となる箇所である。
台座部３１の形状は、図９に示されるように、中空の角柱形状に形成することができる。この形状は、図２に示されるインプラント体２の形状に対応したもので、中空部３１ａには、複数のインプラント体２の軸部２１が挿通される。中空部３１ａの形状を、任意の数のインプラント体２の軸部２１の形状と予め一致させておくことで、中空部３１ａに挿通された複数の軸部２１は、中空部３１ａ内で密状態に収容され、束ねられるような態様で結合ないし固定される。また、中空部３１ａを挿通される軸部２１よりも大きめに形成しておき、軸部２１と台座部３１の間に生じた空隙Ｓを、歯科用セメント等で埋めることができる。即ち、例えば、図１６に示されるように、２つのインプラント体２の軸部２１の間の空隙Ｓが歯科用セメント等で埋められることにより、２つの軸部２１が傾斜したりすることを抑制できる。
尚、図９における形状は上部が開放されているが、この上部が閉鎖された形状を採用することもできる（図示しない）。
【００８１】
また、台座部３１の形状は、図１０に示されるように、インプラント体２の数に応じた孔部３１ｂが設けられた形状に形成することができる。この形状は、例えば、図３に示さ
れるインプラント体２の形状に対応したもので、それぞれの孔部３１ｂに、インプラント体２のそれぞれの軸部２１が挿通される。孔部３１ｂの形状を、軸部２１の形状と予め一致させておくことで、複数のインプラント体２は、それぞれの軸部２１が孔部３１ｂに挿通されることで結合ないし固定される。
【００８２】
図１０は、２つのインプラント体２が挿通される例であるが、３つのインプラント体２が挿通される場合には、図１１に示されるような形状を、４つのインプラント体２が挿通される場合には、図１２に示されるような形状を採用することができる。
尚、図１０〜１２に示されるアバットメント体３の態様であっても、孔部３１ｂを挿通される軸部２１よりも大きめに形成しておき、軸部２１と台座部３１の間に生じた空隙Ｓを、歯科用セメント等で埋めることができる。
【００８３】
爪部３２は、顎骨５に浅く埋入して固定されるための凸部ないし小突起である。爪部３２は、顎骨５に軽く打ち込むことによって、又は予め穿設された小穴５２に埋入することによって顎骨５に固定される。特に、横方向（軸部２１の軸方向とは直交する方向）への強度を高めることができる。
【００８４】
図１３に、アバットメント体３に設けられる爪部３２と、インプラント体２の掛部２２の位置関係について示す。図１３は、インプラント体２にアバットメント体３が取り付けられた状態を口腔側から顎骨５に向かって観察した図であり、掛部２２と爪部３２は実線で表わされ、他の部分は破線で表されている。
【００８５】
２つのインプラント体２を用いた歯科インプラントシステム１の場合、各インプラント体２の掛部２２を結んだ直線の方向に対しては、高い強度が発揮されるが、この方向とは異なる方向、特に直交する方向に対しての強度は低いといえる。この直交する方向に対する強度を補うため、アバットメント体３の爪部３２は、図１３に示されるように、２つの掛部２２を結ぶ直線と、２つの爪部３２を結ぶ直線とが直行するように設けられることが好ましい。
インプラント体２が、３つ以上用いられる場合でも、掛部２２だけでは横方向の強度が低い方向があり、この方向への強度を補う位置に爪部３２が設けられることが好ましい。
【００８６】
アバットメント体３には、側面に透孔３３が設けれらることが好ましい。透孔３３を設けることで、歯科用セメント等を用いてインプラント体２とアバットメント体３を結合・固定する場合に、インプラント体２とアバットメント体３の間に塗布されたセメントが、この透孔３３にも流入することで、インプラント体２、アバットメント３体及び歯科用セメントがより強固に結合・固定され、更に、この透孔３３からはみ出した歯科用セメントを簡単に除去することもできる。
【００８７】
透孔３３は、図１４に示されるように、台座部３１の側面に設けられる。図１４においては、透孔３３は１つのみ表わされているが、２つ以上の透孔３３を設けてもよい。また、図１４では、透孔３３は長方形状に表わされているが、この形状に限定はされず、円形や多角形などの形状を特別の制限なく採用することができる。
【００８８】
アバットメント体３は、十分な強度と硬度を有する材料で、一体に成形されることが好ましい。用いられる材料に限定はなく、アバットメント体の材料として公知・公用の材料を特別の制限なく採用することができるが、例えば、チタン又はこの合金等の金属の他、セラミックスやジルコニア等を挙げることができる。
【００８９】
本発明において、インプラント体２単体では、義歯４を顎骨５に固定するのに必要な強度を得ることができないおそれがあるが、このインプラント体２を２つ以上結合させ、更
にはアバットメント体３を結合させることによって、必要十分な強度を得ることができるのである。
【００９０】
続いて、歯科インプラントシステム１を用いた治療手順について説明する。
ここでは、図２に示されるインプラント体２を２つと、図９に示されるアバットメント体３を１つ用いた場合の手順を説明する。
【００９１】
先ず、抜歯した箇所の歯肉６を切開し、顎骨５の歯槽骨に２つの掛穴５１を穿設する。２つの掛穴５１は、図１５に示されるように、相対抗する方向に穿設されることが好ましく、歯列の外側から内側に向けて、又は歯列の内側から外側に向けて穿設されることが好ましい。歯列の内側から外側に向けての方向又はその反対方向から穿設することで、隣接する歯が邪魔にならず、作業が容易となるからである。
掛穴５１は、インプラント体２における掛部２２の屈折角度と略同一となる角度に穿設することが好ましい。尚、掛穴５１を穿設する前に、顎骨５の歯槽骨の表面に球冠状等の窪みを設けておけば、掛穴５１を任意の角度に穿設し易い。
また、必要に応じて、顎骨５の歯槽骨に、小穴５２も穿設する。小穴５２を穿設する位置は、先に説明したとおり、図１３に示される位置である。
【００９２】
次に、一方の掛穴５１に、インプラント体２の掛部２２を引掛けて取り付ける。この際、掛部２２と掛穴５１の屈折角度に若干の相違が生ずる可能性があるが、インプラント体２に設けられた角度調整部２３を折り曲げ等することによって、この屈折角度を調整し、掛部２２と掛穴５１の角度を一致させることができる。
【００９３】
続いて、他方の掛穴５１にも同様に、インプラント体２の掛部２２を引掛けて取り付ける。
この際、図１５に示されるように、２つのインプラント体２は、それぞれの掛部２２が掛穴５１に奥まで挿通される過程において、それぞれの軸部２１が接し、互いに寄せ合う態様となる。
２つのインプラント体２が接触せず、間に空隙Ｓが生じる場合（図１６参照。）には、この空隙Ｓを歯科用セメント等で埋めることができ、２つのインプラント体２が一体となって固定されることが好ましい。即ち、例えば、図１６に示されるように、２つのインプラント体２の軸部２１の間の空隙Ｓが歯科用セメント等で埋められることにより、２つの軸部２１が傾斜したりすることを抑制できる。
尚、掛部２２と掛穴５１の大きさが合致しない場合には、治療現場において歯科用ドリル等を使用して、掛部２２を短く又は細く加工してもよい。
【００９４】
次に、アバットメント体３を、２つの軸部２１に軸方向から被せ、束ねるように結合する。アバットメント体３は、インプラント体２に設けられた角度調整部２３に接触し、これ以上奥には移動しない。
この状態において、２つのインプラント体２は、それぞれの軸部２１が、アバットメント３の中空部３１ａに密状態で収容されるので、顎骨５に固定される。
インプラント体２とアバットメント体３の間に、空隙Ｓが生じる場合（図１６参照。）には、この空隙Ｓを歯科用セメント等で埋めることができ、インプラント体２とアバットメント体３とが一体となって固定されることが好ましい。
また、アバットメント体３に設けられた爪部３２を、予め顎骨５に穿設された小穴５２に埋入する。
【００９５】
最後に、インプラント体２とアバットメント体３との結合体に、義歯４を被せる。この際、インプラント体２又はアバットメント体３を、義歯４に合わせて歯科用ドリル等で加工し、両者が嵌合するように形状を整えることができ、更には歯科用接着剤や歯科用セメ
ント等を用いて、両者を接着固定してもよい。
【００９６】
上記手順で顎骨５に取り付けられた歯科インプラントシステム１を、図１６に示す。インプラント体２、アバットメント体３及び義歯４は一体に結合され、顎骨５に固定され、掛部２２により軸方向に抜けず、掛部２２及び爪部３２により横方向にも高い強度を有する。
【００９７】
上記治療手順では、図２に示されるインプラント体２を２つと、図９に示されるアバットメント体３を１つ用いた場合の手順を説明し、その治療が完成した状態の概略図を図１６に示したが、図３に示されるインプラント体２を２つと、図１０に示されるアバットメント体３を１つ用いた治療が完成した状態の概略図を、図１７に示す。図１７に示す実施例でも、図１６に示す場合と同様の効果を得ることができる。
尚、図１６及び１７について、アバットメント体３は、部分断面図にて表わされ、アバットメント３に挿通されたインプラント体２の態様が表わされている。
【００９８】
本発明に係る歯科インプラントシステム１によれば、インプラント体２に設けられた掛部２２を、顎骨５に穿設された掛穴５１に引掛けることによって、インプラント体２を顎骨５に取り付けることができるので、従来のインプラント治療のように、インプラント体２と顎骨５とが結合する期間が不要であり、治療期間及び治療回数を短縮することができる。治療を急ぐ場合には、抜歯と同日にでも、顎骨５への掛穴５１の穿設から、インプラント体２及びアバットメント体３の取り付けが可能である。患者に合った義歯４の製作が、同日中に可能であるならば、抜歯と同日に、治療を終えることができる。義歯４の完成が後日になる場合であっても、抜歯からインプラント体２等の取り付けと、義歯４の取り付けの２回の治療で終えることができる。
【００９９】
更に、掛部２２は、顎骨５に対して浅くかつ斜めに取り付けられるので、取り付け箇所の骨の厚さや骨量が最小限で足り、特に上顎など、従来のインプラント治療では、補助手術をしなければならなかった患者に対しても施術可能であり、この分の治療回数・時間を短縮することもできる。
【０１００】
本発明に係る歯科インプラントシステム１を使用すれば、顎骨５の骨量等を問わず、多くの患者の治療期間及び治療回数を短縮することができると共に、顎骨５への影響を最小限に止めることで、患者の精神的及び身体的負担を軽減することができる歯科インプラント治療を提供することができる。
【符号の説明】
【０１０１】
１  歯科インプラントシステム
２  インプラント体
２１  軸部
２２  掛部
２２ａ  先端部
２３  角度調整部
２４  位置決め部
２５  軸固定部
２６  凸部
２７  枢支部
３  アバットメント体
３１  台座部
３１ａ  中空部
３１ｂ  孔部
３２  爪部
３３  透孔
４  義歯
５  顎骨
５１  掛穴
５２  小穴
６  歯肉
Ｓ  空隙
【要約】      （修正有）【課題】インプラント体と顎骨との結合期間を必要とせず、顎骨の骨量や厚さが少ない患者にも施術でき、多くの患者の治療期間及び治療回数を短縮することができると共に、顎骨への影響を最小限に止めることで、患者の精神的及び身体的負担を軽減することができる歯科インプラントシステムを提供する。【解決手段】１本の歯４に対して、複数のインプラント体２が用いられる歯科インプラントシステム１において、各インプラント体の軸部に、顎骨５に穿設された掛穴５１に引掛けられる掛部が設けられ、この掛部は、軸部に対して屈折されており、各インプラント体が、顎骨に引掛けられる際に、この掛部の屈折方向が、複数のインプラント体で異なる構成の歯科インプラントシステムである。【選択図】図１【図１】
0005548298.tif 000002
【図２】
0005548298.tif 000003
【図３】
0005548298.tif 000004
【図４】
0005548298.tif 000005
【図５】
0005548298.tif 000006
【図６】
0005548298.tif 000007
【図７】
0005548298.tif 000008
【図８】
0005548298.tif 000009
【図９】
0005548298.tif 000010
【図１０】
0005548298.tif 000011
【図１１】
0005548298.tif 000012
【図１２】
0005548298.tif 000013
【図１３】
0005548298.tif 000014
【図１４】
0005548298.tif 000015
【図１５】
0005548298.tif 000016
【図１６】
0005548298.tif 000017
【図１７】
0005548298.tif 000018